(57)【特許請求の範囲】
【請求項１】
扉に内蔵される錠ケース内に設けられ、防犯監視モードを切り替えるスイッチと、
前記錠ケース内に設けられ、施錠時のキーの先端側への押し込み操作により前記スイッチを切り替える作動機構とを備え、
前記作動機構は、
基端側へ付勢されており、キーの回転操作に伴って回転してデッドボルトを進退させると共に、施錠時のキーの先端側への押し込み操作により先端側へ移動可能とされるインナーと、
このインナーの先端側への移動により可動するスライダーと、
このスライダーの移動に伴って回転するセットプレートと、
このセットプレートの回転に伴って回転し、スイッチの操作部を押し込むクリックピースと
を備えることを特徴とする扉錠。
【請求項２】
解錠状態では、スイッチの操作部を押し込まないように前記クリックピースを周方向一方向へ付勢すると共に、キーの先端側への押し込み操作により周方向他方向へ回転した際には、前記一方向への回転を規制する手段が設けられた
ことを特徴とする請求項１に記載の扉錠。
【請求項３】
前記セットプレートは、その一部が、解錠状態では、インナーの回転軌道外に配置され、施錠され防犯監視モードがＯＮにされた状態では、インナーの回転軌道内に進入しており、キーによる解錠操作によりインナーが回転することで、インナーに接触し、クリックピースによるスイッチの押し込みを解除させることで防犯監視モードをＯＦＦにする
ことを特徴とする請求項１または請求項２に記載の扉錠。
【発明の詳細な説明】
【技術分野】
【０００１】
本発明は、住宅の玄関などに設けられる扉錠に関するものである。特に、戸建住宅やマンション等の防犯あるいは管理を行なう監視装置等のシステム制御装置と共に使用され、これと電気的に接続される扉錠に関するものである。
【背景技術】
【０００２】
従来、建物への違法侵入などを監視する防犯装置は、センサが玄関扉に設けられており、玄関扉の近傍に監視の有無を切り替える監視専用スイッチが取り付けられていた。
この従来の防犯装置では、住人は外出時に監視専用スイッチをＯＮに操作してからキーで扉錠を施錠し、帰宅時にこの扉錠を解錠した後でスイッチをＯＦＦに操作する必要があった。
したがって、外出時および帰宅時のいずれにおいても常に、キー操作と監視専用スイッチの操作の二つの操作を要することから、出入りが面倒となる上、急いで外出するとき、あるいは、帰宅したときに監視専用スイッチの操作を忘れるおそれがあった。
【０００３】
そこで、キーの施錠操作時に一連の操作によって、必要に応じ防犯管理等を行なうシステム制御装置をＯＮすることができ、また、キーの解錠操作時には自動的にシステム制御装置がＯＦＦされるようにして、独立した監視専用スイッチおよびその操作を不要にすると共に、当該スイッチの切り忘れによる不都合を防止できる防犯装置が特許文献１および特許文献２に示されている。
【特許文献１】特許第３５８７３６７号公報
【特許文献２】特開２００１−２２７２１５号公報
【発明の開示】
【発明が解決しようとする課題】
【０００４】
ところが、特許文献１に示される防犯装置は、ハンドル（３）の座（３ａ）内に、防犯装置を構成するスイッチ（１７）などの部材が収容されている。このように特許文献１に示される防犯装置では、座（３ａ）内に各部材を収容させる必要があり、意匠の自由度に制限があった。そして、監視装置（４０）へ信号を送るためのコードが座（３ａ）から導出されていることで、このコードの処理に施工時に時間を要した。
【０００５】
また、特許文献２に示される錠前の信号取出し機構では、警報スイッチ（１１）をＯＮにするために、合鍵を約９０度回転して施錠した状態から合鍵をさらに＋α回転させる必要がある。
このような構成の場合、警報スイッチ（１１）をＯＮにする意思がない場合であっても、施錠の際にキーの回転操作に力が入ってさらにキーを回転させてしまい、警報スイッチ（１１）をＯＮにしてしまう可能性がある。つまり、誤操作する可能性がある。
なお、上記括弧書きの数字は、各特許文献中の符号を示す。
【０００６】
本発明が解決しようとする課題は、信号のＯＮ，ＯＦＦ機構を錠ケース内に収容することによりハンドルの座やシリンダーの意匠の自由度を向上すると共に、既存のハンドルの座やシリンダーの汎用性を高める防犯装置用の扉錠を提供することである。更には、錠ケースからコードを導出させることで施工性を向上させる防犯装置用の扉錠を提供することにある。また、誤操作を防止することが可能な防犯装置用の扉錠を提供することにある。
【課題を解決するための手段】
【０００７】
本発明は、前記課題を解決するためになされたものであり、請求項１に記載の発明は、扉に内蔵される錠ケース内に設けられ、防犯監視モードを切り替えるスイッチと、前記錠ケース内に設けられ、施錠時のキーの先端側への押し込み操作により前記スイッチを切り替える作動機構とを備え、前記作動機構は、基端側へ付勢されており、キーの回転操作に伴って回転してデッドボルトを進退させると共に、施錠時のキーの先端側への押し込み操作により先端側へ移動可能とされるインナーと、このインナーの先端側への移動により可動するスライダーと、このスライダーの移動に伴って回転するセットプレートと、このセットプレートの回転に伴って回転し、スイッチの操作部を押し込むクリックピースとを備えることを特徴とする扉錠である。
より具体的には、扉に内蔵される錠ケース内に設けられ、防犯監視モードを切り替えるスイッチと、前記錠ケース内に設けられ、施錠時のキーの先端側への押し込み操作により前記スイッチを切り替えて防犯監視モードをＯＮにする一方、解錠時のキー解錠操作により前記スイッチを切り替えて防犯監視モードをＯＦＦにする作動機構とを備えることを特徴とする扉錠である。
【０００９】
請求項２に記載の発明は、解錠状態では、スイッチの操作部を押し込まないように前記クリックピースを周方向一方向へ付勢すると共に、キーの先端側への押し込み操作により周方向他方向へ回転した際には、前記一方向への回転を規制する手段が設けられたことを特徴とする請求項１に記載の扉錠である。
【００１０】
さらに、請求項３に記載の発明は、前記セットプレートは、その一部が、解錠状態では、インナーの回転軌道外に配置され、施錠され防犯監視モードがＯＮにされた状態では、インナーの回転軌道内に進入しており、キーによる解錠操作によりインナーが回転することで、インナーに接触し、クリックピースによるスイッチの押し込みを解除させることで防犯監視モードをＯＦＦにすることを特徴とする請求項１または請求項２に記載の扉錠である。
【発明の効果】
【００１１】
本発明の扉錠によれば、防犯監視モードをセットするスイッチ、およびこのスイッチのＯＮ，ＯＦＦを切り替える機構が錠ケース内に収容されることで、ハンドルの座やシリンダーの意匠の自由度が向上し、既存のハンドルの座やシリンダーの汎用性も高めることができる。また、錠ケースからコードを導出させることで施工性を向上させることができる。さらに、意思に反して防犯機能をセットしてしまう誤操作がない。
【発明を実施するための最良の形態】
【００１２】
以下、本発明の扉錠について、更に詳細に説明する。ここでは、本発明の扉錠が玄関扉に適用される場合について説明する。なお、以下の説明においては、扉が閉鎖した状態において室内外方向を前後方向とする。
【００１３】
図１から図３は、本発明の扉錠の一実施例を示す図であり、図１は本実施例の扉錠の扉への取付状態を室外側から見た斜視図であり、図２は、本実施例の扉錠の主要部の分解斜視図であり、図３は、本実施例の扉錠の主要部を示す正面図であり、それぞれ一部を省略して示している。また、図４は、本実施例の扉錠の主要部を示す分解斜視図である。
但し、図１においてのみ、デッドボルト７とラッチボルトＬが一体的に同一ケースに収容された扉錠を示している。このような場合でも、本発明は同様に適用可能である。
【００１４】
本実施例の扉錠が設けられる扉１は、開き戸形式とされ、室外側へ開く外開き扉とされる。具体的には、扉１は、扉枠の一側端部に、ヒンジを介して回動可能に取り付けられている。そして、扉１に設けられたハンドルＨを操作することで、ラッチボルトＬが進退して扉１の開閉を行なうことができる。このハンドルＨは、扉１の室外側と室内側の双方に設けられている。
【００１５】
図２および図３に示すように、本実施例の扉錠は、扉１の戸先側端部に内蔵される錠ケース３と、この錠ケース３に設けられ、錠ケース３の戸先側端面から出没可能なデッドボルト７と、錠ケース３に収容され、デッドボルト７を進退させる操作機構と、この操作機構にキーＫの回転操作を伝達するシリンダー１５１とを備える。また、錠ケース３に設けられ、防犯監視装置の制御盤１３５（図１）にＯＮ，ＯＦＦ信号を送るスイッチ１２３と、キーＫの押し込み操作を前記スイッチに伝達する作動機構とを備える。
【００１６】
錠ケース３は、矩形箱状とされる。本実施例では、錠ケース３は、室外側（基端側）へ開口するケース本体３Ａと、その開口を閉じるようケース本体３Ａに重ね合わされてねじで固定される矩形板状の蓋３Ｂとを備える。
【００１７】
錠ケース３は、扉１の戸先側端部の上下方向中央部に取り付けられる。具体的には、図１から図３に示すように、錠ケース３の左側端部には、矩形板状のフロント板５が設けられている。そして、このフロント板５が扉１の戸先側端面に重ね合わされて、取付ネジ６がフロント板５を介して扉１の戸先側端部にねじ込まれることで錠ケース３が扉１に固定される。
本実施例では、この錠ケース３内に、デッドボルト７、操作機構（１７，３７）、作動機構（３７，６３，７７，９５）およびスイッチ１２３が収容されている。
【００１８】
デッドボルト７は、錠ケース３の戸先側端面から出没可能とされており、扉１の戸先側端面から突出して扉枠の受部材（不図示）に突入することで扉１が施錠される。
デッドボルト７は、矩形状とされ、左右方向に移動可能に錠ケース３内に設けられる。
【００１９】
操作機構（１７，３７）は、錠ケース３内に設けられる取付板１１に組み立てられている。また、本実施例では、この取付板１１に作動機構（３７，６３，７７，９５）も組み立てられており、操作機構および作動機構は一つのユニット状に構成されている。
【００２０】
図５は、取付板１１に各部材が組み立てられた状態を示す正面図であり、断面にして示している。なお、図５では、後述するカバー１３７が省略されている。
【００２１】
取付板１１は、矩形板状とされ、その上端部には左右に離間して前後方向に沿う貫通穴１３，１３が形成されている。取付板１１は、その貫通穴１３，１３を錠ケース３のケース本体３Ａに立設された円筒状の第一取付柱１５，１５に差し込まれて錠ケース３に取り付けられる。なお、第一取付柱１５の内周面にはネジ溝が形成されている。
【００２２】
操作機構は、取付板１１に回転可能に保持されるデッドハブ１７と、このデッドハブ１７にはめ込まれて設けられるインナー３７とにより構成される。
【００２３】
図６は、デッドハブを示す部品図であり、（ａ）は正面図、（ｂ）は右側面視縦断面図、（ｃ）は背面図、（ｄ）は底面図である。
デッドハブ１７は、段付円柱状とされ、その外周面の一部に径方向外側へ突出して矩形状の係止部１９が一体形成されている。
本実施例では、係止部１９は、デッドハブ１７の基端側大径部２１から下方へ突出して形成されている。この係止部１９の下端部は、基端側へ若干突出しており、係止部１９は略Ｌ字形に形成されている。
【００２４】
デッドハブ１７の基端側大径部２１の中央には、円形の凹部２３が基端側へ開口して形成されている。
また、デッドハブ１７の基端側大径部２１の中央には、前記凹部２３の底面から基端側へ突出して、基端側へ開口する円筒状の保持部２５が形成されている。なお、この保持部２５は、デッドハブ１７の基端側大径部２１より基端側へ若干突出している。
【００２５】
デッドハブ１７の凹部２３の径方向両端部には、略矩形状の第一係止片２７，２７が径方向内側へ突出して形成されている。各第一係止片２７の突出端面２７ａは、凹部２３と同心円の一部を構成する円弧状に形成されている。また、本実施例では、各第一係止片２７は、凹部２３の径方向中心側へ行くに従って縮幅する略台形状に形成されている。
そして、デッドハブ１７の先端側小径部２９の先端面には、十字状の凹部３１が形成されている。
【００２６】
取付板１１の下端部には、左右方向中央部に段付穴３３が貫通して形成されている。
デッドハブ１７は、その先端側小径部２９が前記段付穴３３の先端側小径穴３３ａに回転可能にはめ込まれ、基端側大径部２１が段付穴３３の基端側大径穴３３ｂに配置されて取付板１１に回転可能に取り付けられる。
取付板１１の段付穴３３の基端側大径穴３３ｂは、その下端部が下方へ開口して形成されており、この開口部３３ｃを介してデッドハブ１７の係止部１９が取付板１１から下方へ延出している。
【００２７】
取付板１１に取り付けられたデッドハブ１７の係止部１９は、デッドボルト７の右端部に形成された凹部７ａに係合し、デッドハブ１７が回転することで、デッドハブ１７の係止部１９がデッドボルト７を左右に移動させる。
【００２８】
ところで、デッドハブ１７は回転した際、前記取付板１１の開口部３３ｃの左右壁面に係止部１９が当接することで、一定以上の回転が阻止される。つまり、デッドハブ１７は、その係止部１９が左右に一定範囲内で揺動可能に取付板１１に保持されている。
【００２９】
図７は、インナーを示す部品図であり、（ａ）は正面図、（ｂ）は左側面図、（ｃ）は右側面図、（ｄ）は背面図、（ｅ）は横断面図、（ｆ）は背面側から見た斜視図である。
【００３０】
インナー３７は、略段付円柱形状とされ、その先端面中央には円形の凹部３９が先端側へ開口して形成されている。この凹部３９の内径は、デッドハブ１７の保持部２５の外径に対応している。また、インナー３７の基端面中央には、上下方向に細長い矩形状の穴４１が形成されており、本実施例では、前記凹部３９に開口するように形成されている。
【００３１】
インナー３７の先端側小径部４３は、デッドハブ１７の凹部２３へ差し込まれる差込部４３とされる。この差込部４３の外径は、デッドハブ１７の第一係止片２７，２７間の内径に対応している。また、差込部４３の径方向両端部には、略矩形状の第二係止片４５，４５が径方向外側へ突出して形成されている。各第二係止片４５の突出端面４５ａは、差込部４３と同心円の一部を構成する円弧状に形成されている。この第二係止片４５，４５間の外径は、デッドハブ１７の凹部２３の内径に対応している。
【００３２】
インナー３７の基端側大径部４７の先端部には、径方向外側へ突出して環状の拡径部４９が形成されている。つまり、インナー３７の先端側小径部４３と基端側大径部４７との境界部分に、拡径部４９が形成されている。
【００３３】
本実施例では、インナー３７の基端側大径部４７の先端部から径方向外側へ突出して環状の第一拡径部５１が形成されている。また、この第一拡径部５１の略半周部分がさらに径方向外側へ突出して第二拡径部５３が第一拡径部５１に連続して形成されている。これにより、第二拡径部５３の周方向両端部には、第一拡径部５１との間に段部が形成されている。なお、本実施例では、図７（ｄ）において、拡径部４９の左右両端部４９ａ，４９ａは、矩形状に切り欠かれている。
【００３４】
また、インナー３７の基端側大径部４７の基端部には、周方向三箇所にセット片５５，５７，５７が径方向外側へ突出して形成されている。つまり、インナー３７の基端面には、三つのセット片５５，５７，５７が形成されている。
【００３５】
本実施例では、インナー３７の基端側大径部４７の基端部から上方へ突出して矩形状の第一セット片５５が形成されており、左右両側へ突出して矩形状の第二セット片５７，５７がそれぞれ形成されている。また、各第二セット片５７の上端部は、さらに左右両側へ突出して矩形状の押部５９が形成されている。この押部５９の先端側角部は、なめらかな曲面状に面取りされている。なお、本実施例では、第二セット片５７の押部５９は、第二拡径部５３より径方向外側へ若干延出している。
【００３６】
インナー３７の基端側大径部４７に形成された各セット片５５，５７，５７と拡径部４９の距離ｘは、後述するカバー１３７の厚みに対応している。
【００３７】
インナー３７は、その差込部４３がデッドハブ１７の凹部２３にはめ込まれて、デッドハブ１７に回転可能に設けられる。この際、デッドハブ１７の保持部２５にコイルバネ６１の一端部がはめ込まれており、コイルバネ６１の他端部は、インナー３７の凹部３９にはめ込まれている。これにより、インナー３７は、基端側へ付勢された状態でデッドハブ１７に回転可能に保持される。
【００３８】
デッドハブ１７にはめ込まれたインナー３７は、その第二係止片４５が、デッドハブ１７の第一係止片２７に当接するまではデッドハブ１７に対して空転する。本実施例では、インナー３７は、デッドハブ１７に対して、約９０度回転可能とされると共に、約９０度のアソビが設けられている。
そして、インナー３７の第二係止片４５がデッドハブ１７の第一係止片２７に当接されると、インナー３７はデッドハブ１７と共に一体回転する。
【００３９】
次に、作動機構（３７，６３，７７，９５）について説明する。なお、前記インナー３７は、操作機構であると共に、作動機構としても機能する。
【００４０】
作動機構は、取付板１１に左右方向に移動可能に設けられるスライダー６３と、このスライダー６３の移動に伴って回転するセットプレート７７と、このセットプレート７７に連結され、スイッチ１２３のＯＮ、ＯＦＦ操作をするクリックピース９５とを備える。
【００４１】
図８は、スライダーを示す部品図であり、（ａ）は正面図、（ｂ）は左側面図、（ｃ）は平面図、（ｄ）は背面図、（ｅ）は斜視図である。
スライダー６３は、先端部６５が左右方向に細長い矩形状のブロック体とされ、この先端部６５の略右半分が基端側へ突出して第一凸部６７が形成されており、この第一凸部６７の略右半分がさらに基端側へ突出して第二凸部６９が形成されている。
【００４２】
この第二凸部６９の頂部には、右側へ延出して三角形状の延出部７１が形成されている。本実施例では、延出部７１は、先端側へ行くに従って右側へ傾斜する傾斜面に形成されている。また、スライダー６３の先端部中央には、先端側へ突出して左右方向に細長い矩形状の差込部７３が形成されている。
【００４３】
スライダー６３は、その差込部７３が取付板１１に左右方向に沿って形成されたスライダー溝７５に差し込まれて、取付板１１に左右方向に移動可能に設けられる。
【００４４】
図９は、セットプレートを示す部品図であり、（ａ）は正面図、（ｂ）は左側面図、（ｃ）は平面図である。セットプレート７７は、板状の一片７９と、この一片７９から上方へ延出する接続片８１とが一体に設けられた板材とされる。
【００４５】
セットプレート７７の一片７９には、その中央部に円形の取付穴８３が貫通して形成されている。また、一片７９には、右側へ突出して三角形状の突出片８５が形成されている。本実施例では、突出片８５は、右側へ行くに従って下方へ傾斜する三角形状に形成されている。さらに、セットプレート７７の一片７９には、突出片８５の上端部が切り欠かれて凹部８７が形成されている。
【００４６】
セットプレート７７の接続片８１には、上下方向に長い貫通穴８９が形成されている。なお、接続片８１の中途部は、先端側へ若干直角に屈曲され、さらに上方へ直角に屈曲されて段付に形成されている。
【００４７】
前記取付板１１の下端部左右両側には、基端側へ突出して略矩形状の第一突出部９１，９１が形成されており、この第一突出部９１から基端側へ突出して円柱形の第二取付柱９３がそれぞれ設けられている。
【００４８】
セットプレート７７は、その取付穴８３に取付板１１の左側の第二取付柱９３が差し込まれて、取付板１１の第一突出部９１に載せ置かれ、取付板１１に回転可能に設けられる。この際、セットプレート７７は、その一片７９がスライダー６３の第一凸部６７に当接または第一凸部６７より若干基端側に配置されると共に、その凹部８７にスライダー６３の第二凸部６９が当接または近接するように配置される。
【００４９】
図１０は、クリックピースを示す部品図であり、（ａ）は正面図、（ｂ）は左側面図、（ｃ）は平面図である。
【００５０】
クリックピース９５は、略短円柱形の本体９７を備え、この本体９７の中央には円形の貫通穴９９が前後方向に沿って形成されている。クリックピース９５の本体９７には、その外周面下端部に下方へ突出して矩形柱状の支持部１０１が形成されている。この支持部１０１には、下方および左右方向に開口する断面コ字状の溝１０１ａが形成されている。つまり、支持部１０１は二股状に形成されている。支持部１０１の溝１０１ａは、前記セットプレート７７の接続片８１に対応した幅に形成されている。また、支持部１０１には、前後方向に沿って溝１０１ａを介して円形の差込穴１０３が貫通して形成されている。
【００５１】
クリックピース９５の本体９７の上端部には、上方へ突出して矩形状の突出部１０５が形成されている。本実施例では、突出部１０５は、上方へ行くに従って若干左側へ傾斜して形成されている。また、突出部１０５の上端部は、基端側へ直角に屈曲し、さらに右側へ直角に屈曲して押込み部１０７が形成されている。
【００５２】
クリックピース９５には、その突出部１０５の右側に、上方へ突出して矩形状の係止部１０９が形成されている。本実施例では、係止部１０９は、上方へ行くに従って若干右側へ傾斜して形成されている。そして、この係止部１０９の上端面１０９ａは、右側へ行くに従って下方へ傾斜する傾斜面に形成されている。
【００５３】
クリックピース９５は、本体９７の貫通穴９９が、取付板１１から基端側へ延出する前記錠ケース３の一方の第一取付柱１５に通されて、取付板１１に回転可能に保持される。
また、クリックピース９５は、その支持部１０１の溝１０１ａにセットプレート７７の接続片８１が差し込まれて、ピン１１１がクリックピース９５の差込穴１０３およびセットプレート７７の接続片８１の貫通穴８９を通るように差し込まれる。これにより、クリックピース９５とセットプレート７７は、連動して回転可能に連結される。
【００５４】
ところで、取付板１１の上端部中央には、基端側へ突出して第二突出部１１５が形成されている。この第二突出部１１５には、クリックピース９５の係止部１０９へ向けて、左右方向に沿う溝１１７が左側へ開口して形成されている（図４，図５）。
【００５５】
この溝１１７には、コイルバネ１１９とボール１２１が嵌装されている。本実施例では、コイルバネ１１９の右端部が、溝１１７の右端面に当接されており、コイルバネ１１９の左側に小径なボール１２１が配置されている。
【００５６】
ボール１２１は、コイルバネ１１９により左側へ付勢されてクリックピース９５の係止部１０９に当接している。そして、ボール１２１が、クリックピース９５の係止部１０９の先端角部に当接した状態では、クリックピース９５は、第一取付柱１５を軸として反時計方向に付勢されている。
【００５７】
本実施例のスイッチ１２３は、マイクロスイッチとされ、取付板１１の上面に取り付けられる。取付板１１の上面には、前後に離間して一対の板片１２５，１２５が上方へ突出して設けられている。また、取付板１１の上面には、前記板片１２５，１２５間に、前後に離間して二本のピン１２７，１２７が上方へ突出して設けられている。
【００５８】
スイッチ１２３には、二つの貫通穴１２９，１２９が形成されており、スイッチ１２３は、前記板片１２５，１２５間に配置されて、その貫通穴１２９，１２９に前記ピン１２７，１２７が差し込まれることで、取付板１１の上面に位置決めされて取り付けられる。
【００５９】
スイッチ１２３には、操作部としてのレバー１３１が設けられている。このレバー１３１は、一端部を支点として、他端部がスイッチ１２３から離間する方向に付勢されており、レバー１３１が押し込まれることでスイッチ１２３のＯＮ、ＯＦＦが切り替えられ、監視装置１３５の防犯監視モードのＯＮ、ＯＦＦが行われる。本実施例では、レバー１３１が離間した通常状態では、スイッチ１２３はＯＦＦ状態とされており防犯監視モードもＯＦＦとされ、レバー１３１が押し込まれることで、スイッチ１２３がＯＮ状態となり防犯監視モードがＯＮにされる。
【００６０】
スイッチ１２３が取付板１１に取り付けられた状態では、クリックピース９５の押込み部１０７がスイッチ１２３のレバー１３１に当接または近接している。
【００６１】
スイッチ１２３の端子に接続されるコード１３３は、錠ケース３の外方へ導出され、扉１の内部を通されて、例えば玄関の内部に設置された監視装置１３５の制御盤に接続されている。
【００６２】
このように、操作機構および作動機構が取付板１１に組み立てられた状態で、図３および図４に示すように、取付板１１にカバー１３７が基端側から取り付けられる。
カバー１３７は、取付板１１の外形に対応した矩形板状とされ、各取付柱１５，９３が差し込まれる貫通穴が形成されている。なお、カバー１３７は、その左右両端部が基端側へ直角に屈曲されている。
【００６３】
カバー１３７には、インナー３７の基端部の形状に対応した貫通穴１４１が形成されている。具体的には、カバー１３７には、丸穴１４３が貫通して形成されており、この丸穴１４３の上端部および左右両端部には、それぞれ径方向外側へ矩形状に突出して切欠き部１４５，１４７，１４７が形成されている。
【００６４】
この丸穴１４３は、インナー３７の基端側大径部４７の外径に対応しており、各切欠き部１４５，１４７，１４７はインナー３７の第一セット片５５および第二セット片５７に対応している。また、カバー１３７の切欠き部のうち、左右両端部の切欠き部１４７，１４７は、インナー３７の第二セット片５７より左右方向外側へ延出して形成されている。
【００６５】
このような構成により、インナー３７の基端部は、周方向一箇所でのみカバー１３７の貫通穴１４１を通過することができる。
【００６６】
カバー１３７は、その貫通穴１４１にインナー３７の基端部が通されて取付板１１に重ね合わされて、ネジ１４９で取付板１１に固定される。この際、カバー１３７は、インナー３７の拡径部４９と各セット片５５，５７，５７との間に配置され、インナー３７は、カバー１３７に対して回転可能とされる。また、取付板１１にカバー１３７が取り付けられた状態では、スライダー６３の第二凸部６９の頂部が前記カバー１３７の切欠き部１４７に差し込まれている。
【００６７】
このように、従来の錠ケースと厚みや幅寸法が同じ大きさの錠ケース３のケース本体３Ａ内に操作機構および作動機構が取り付けられて、ケース本体３Ａに蓋３Ｂが取り付けられる。そして、この錠ケース３にシリンダー１５１が取り付けられる。シリンダー１５１は、従来公知のものが採用される。本実施例のシリンダー１５１は、外筒１５３に内筒１５５が回転可能にはめ込まれた構造とされる（図２）。
【００６８】
シリンダー１５１には、上下ピンタンブラー（不図示）およびこのピンタンブラーを付勢するバネ（不図示）が内蔵されており、シリンダー１５１にキーＫが差し込まれていない状態では、内筒１５５は外筒１５３に対して回動不能とされ、正規のキーＫを挿入した場合にのみ外筒１５３に対して内筒１５５の回転が許容される。
【００６９】
シリンダー１５１の内筒１５５の先端部には、直径方向に沿って、先端側へ突出する細長い矩形状の差込部１５７が一体的に形成されている。この差込部１５７は、前記インナー３７の穴４１に対応した形状とされる。この差込部１５７は、内筒１５５の基端部に開口する細長い鍵穴１５９と直交するように形成されている。つまり、内筒１５５の鍵穴１５９と差込部１５７とは、十字に交差するよう形成されている。このような構成のシリンダー１５１は、その鍵穴１５９にキーＫを挿入し、内筒１５５を回転させることで、差込部１５７も回転する。
【００７０】
また、本実施例では、扉１に設けられたシリンダー１５１に挿入されたキーＫは、そのキーＫの板面が上下方向に沿う場合にのみ引き抜くことが可能とされる。言い換えれば、差込部１５７の長手方向が左右方向に沿う場合に、キーＫを引き抜くことが可能とされる。
【００７１】
シリンダー１５１は、その差込部１５７が、錠ケース３の蓋３Ｂの穴（不図示）を介してインナー３７の穴４１に差し込まれて取り付けられる。このように、シリンダー１５１の差込部１５７が、インナー３７の穴４１に差し込まれていることで、シリンダー１５１の内筒１５５が回転するとインナー３７も共に回転する。
【００７２】
また、シリンダー１５１には、扉１の室外面に設けられる円筒状のシルケース１６１がはめ込まれている。このシルケース１６１は、錠ケース３または扉１に固定されており、シリンダー１５１は、その外筒１５３がシルケース１６１に対して回転不能にはめ込まれている。また、シリンダー１５１は、その外筒１５３および内筒１５５が共にシルケース１６１に対して前後方向に移動可能に設けられている。なお、シルケース１６１の外周部には、円筒状のカラー１６３が扉１の厚みに対応可能に前後方向に移動可能にはめ込まれている。
【００７３】
このような構成の本実施例の扉錠は、キーＫを回転操作して施錠し、施錠状態においてそのままキーＫを室内側へ押し込むことでスイッチ１２３をＯＮし、防犯監視モードをＯＮにすることができる。
本実施例の監視装置１３５は、室内に不審者の侵入があったときに警備保障会社へ通報したり、警報ブザーを発したりするもので玄関の内部または居間の壁面などに設置される。また、違法侵入を検出する各種センサが扉１や窓および他の開口部に設けられている。本実施例では、スイッチ１２３からＯＮ信号が送出されると、防犯監視モードにセットされてセンサによる検出動作を開始し、スイッチ１２３からＯＦＦ信号が送出されると防犯監視モードが解除されて検出動作を停止させる。
【００７４】
以下、本実施例の扉錠の施解錠および防犯監視モードをＯＮまたはＯＦＦにする方法について説明する。
【００７５】
図２および図５は解錠状態を示しており、この解錠状態ではデッドハブ１７は、その係止部１９が右側へ配置されている。そして、デッドハブ１７の各第一係止片２７は、それぞれ上下位置に配置されている。
【００７６】
また、解錠状態では、インナー３７は、その第一セット片５５が左側に配置され、第二セット片５７，５７がそれぞれ上下位置に配置されている。よって、この解錠状態では、カバー１３７の貫通穴１４１と、インナー３７の基端部の周方向の位置が合っていないことから、インナー３７を先端側へ押し込むことはできない。
【００７７】
ところで、インナー３７の穴４１は、その長手方向が左右方向へ沿って配置されている。これにより、解錠状態では、インナー３７の穴４１に差し込まれたシリンダー１５１の差込部１５７も左右方向に沿っており、これに伴って、シリンダー１５１の鍵穴１５９は上下方向に沿っている。
【００７８】
また、解錠状態では、インナー３７の第二係止片４５，４５は、デッドハブ１７の第一係止片２７，２７に当接している。具体的には、インナー３７の各第二係止片４５の時計方向側に、デッドハブ１７の第一係止片２７がそれぞれ当接して配置されている。
【００７９】
解錠状態では、スライダー６３は、スライダー溝７５の右端部に配置されており、スライダー６３の延出部７１はインナー３７のセット片５５，５７，５７より若干先端側へ配置されている。
【００８０】
セットプレート７７は、その一片７９がインナー３７の拡径部４９とほぼ同じ高さ位置に配置されている。そして、解錠状態では、セットプレート７７の突出片８５は、インナー３７の第二拡径部５３の軌道外に配置されている。
また、セットプレート７７の凹部８７には、スライダー６３の第二凸部６９が配置されている（図５，図１８参照）。
【００８１】
さらに、解錠状態では、クリックピース９５は、その係止部１０９の先端角部にボール１２１が当接しており、第一取付柱１５まわりに反時計方向に付勢されている。また、クリックピース９５の押込み部１０７は、スイッチ１２３のレバー１３１に当接しているが、この解錠状態では、スイッチ１２３はＯＦＦ状態とされている。
【００８２】
図３および図１１は、施錠状態を示す図である。また、図１２は、図１１の一部の断面図である。
【００８３】
図５に示す解錠状態から施錠するには、まず、キーＫをシリンダー１５１の鍵穴１５９に挿入する。解錠状態では、上述したように、鍵穴１５９が上下方向に沿っているので、キーＫはその板面が上下方向に沿うように差し込まれる。そして、キーＫを時計方向に９０度回転させればよい。
【００８４】
キーＫを時計方向に回転させることで、シリンダー１５１の差込部１５７も時計方向に回転し、この差込部１５７がはめ込まれたインナー３７も時計方向に９０度回転する。
上述したように、解錠状態では、インナー３７の各第二係止片４５の時計方向側にデッドハブ１７の第一係止片２７が配置されているので、インナー３７が時計方向に回転することでデッドハブ１７も時計方向に一体に回転する。
【００８５】
インナー３７の回転に伴ってデッドハブ１７が時計方向に回転すると、デッドハブ１７の係止部１９も時計方向に回転して左側へ移動し、デッドボルト７を扉１の戸先側端面から外方へ押し出す。これにより、デッドボルト７が錠ケース３から突出して、扉枠の受部材に突入して施錠される。
【００８６】
図３および図１１に示す施錠状態では、インナー３７の基端部とカバー１３７の貫通穴１４１の周方向の位置が合っている。
また、施錠状態では、図１１および図１２に示すように、インナー３７の一方の第二セット片５７の押部５９の下方（先端側）にスライダー６３の延出部７１が配置されている。この施錠状態においてキーＫを先端側（室内側）へ押し込むことで、後述の如く監視モードをＯＮにすることができる。
【００８７】
図１３は、図１１の状態からキーＫを押し込んだ状態を示す図である。また、図１４は、図１３の一部の断面図である。
【００８８】
図１１の施錠状態において、キーＫを先端側へ押し込むことで、シリンダー１５１の外筒１５３および内筒１５５が共に先端側へ押し込まれ、シリンダー１５１はインナー３７を先端側へ押し込む。つまり、図１１の施錠状態では、インナー３７の基端部とカバー１３７の貫通穴１４１の周方向位置が一致していることで、インナー３７の基端部はカバー１３７の貫通穴１４１に差し込まれて、インナー３７は先端側へ押し込まれる。
【００８９】
そして、インナー３７が先端側へ押し込まれることで、第二セット片５７も先端側へ押し込まれ、第二セット片５７の押部５９がスライダー６３の延出部７１に当接する。
スライダー６３の延出部７１は、傾斜面に形成されていることから、第二セット片５７が当接すると、傾斜の作用によりスライダー６３はスライダー溝７５に沿って左側へ移動する。なお、スライダー６３の第二凸部６９の頂部は、カバー１３７の切欠き部１４７に沿って左側へ移動する。
【００９０】
スライダー６３が左側へ移動することで、スライダー６３の第二凸部６９がセットプレート７７の凹部８７を押し、セットプレート７７は、第二取付柱９３まわりに反時計方向に回転する。これにより、セットプレート７７の突出片８５の先端がインナー３７の第二拡径部５３の回転軌道上に進入する（図１３参照）。
【００９１】
また、セットプレート７７が反時計方向に回転することで、セットプレート７７にピン１１１で連結されたクリックピース９５は、第一取付柱１５まわりに時計方向に回転する。クリックピース９５が時計方向に回転することで、クリックピース９５の押込み部１０７がスイッチ１２３のレバー１３１を付勢力に対向して押し込む。これにより、スイッチＯＮの信号が監視装置１３５の制御盤に送られ、防犯監視モードがＯＮになる。
【００９２】
ところで、クリックピース９５が時計方向に回転することで、クリックピース９５の係止部１０９が、ボール１２１をバネ１１９の付勢力に対向して右側へ押し込む。これに伴い、ボール１２１は、係止部１０９の傾斜面１０９ａに当接し、係止部１０９の傾斜面１０９ａを下方へ押し付ける。つまり、係止部１０９の傾斜面１０９ａが、ボール１２１と溝１１７との間に配置されて係止部１０９が溝１１７の下面に押し付けられる。これにより、クリックピース９５には、時計方向に力が働き、クリックピース９５は反時計方向への回転が規制され、その回転した状態が維持される。
また、スイッチ１２３のレバー１３１の付勢力により、クリックピース９５が反時計方向に回転しようとしても、ボール１２１が係止部１０９を下方へ押し込む力の方が大きいために、クリックピース９５の反時計方向の回転が規制される。
【００９３】
このようにスイッチ１２３がＯＮにされたなら、キーＫの押し込み操作を止める。これにより、インナー３７はバネ６１の付勢力により室外側へ押し戻され、これに伴いシリンダー１５１も室外側へ移動する。
【００９４】
この際、上述したように、クリックピース９５は回転が規制されていることで、インナー３７が押し戻されても、スイッチ１２３のレバー１３１はクリックピース９５の押込み部１０７により押し込まれた状態とされ、スイッチＯＮの状態が維持される。
【００９５】
このように、クリックピース９５の反時計方向の回転が規制されることで、クリックピース９５によるスイッチ１２３のレバー１３１の押し込みが維持され、監視モードのＯＮ状態が保持される。
【００９６】
施錠し、監視モードをＯＮにセットした図１３の状態では、キーＫの板面が左右方向に沿っているためにキーＫをシリンダー１５１から抜くことができない。そこで、キーＫを反時計方向に９０度回転させる。この際、図１３の状態では、インナー３７の各第二係止片４５の時計方向側にデッドハブ１７の第一係止片２７がそれぞれ配置されている。よって、図１３の状態から、キーＫを反時計方向に回してインナー３７が反時計方向に回転する場合、インナー３７はデッドハブ１７に対して空転する。
【００９７】
このように、図１３の状態からキーＫを反時計方向に９０度回転させることで、図１５の状態となり、インナー３７の穴４１が左右方向に沿うと共に、キーＫの板面が上下方向に沿い、キーＫをシリンダー１５１から抜くことができる。
【００９８】
このようにして、本実施例の扉錠の施錠およびスイッチＯＮ操作が行なわれ、監視装置１３５の防犯監視モードがＯＮにされる。この状態で、キーＫにより解錠せずに、すなわちスイッチ１２３をＯＦＦせずに、扉１や窓を壊したりして不正に侵入しようとすると、不法侵入とみなし警備保障会社に通報したり、警報ブザーを鳴らすことができる。
【００９９】
図１５の状態から解錠し、また、監視装置をＯＦＦにする場合には、キーＫをシリンダー１５１に挿入して、反時計方向に９０度回転させればよい。
【０１００】
キーＫを反時計方向に回転させることで、インナー３７も反時計方向に回転する。図１５の状態では、インナー３７の各第二係止片４５の反時計方向側にデッドハブ１７の第一係止片２７がそれぞれ当接していることで、インナー３７が回転することでデッドハブ１７も一体に反時計方向に回転する。
【０１０１】
また、インナー３７が反時計方向に回転していくと、図１６に示すように、インナー３７の第二拡径部５３の一端部（段部）が、第二拡径部５３の軌道内に進入しているセットプレート７７の突出片８５に接触する。
そして、さらにインナー３７が反時計方向に回転することで、図１７に示すように、インナー３７はセットプレート７７の突出片８５を下方へ押し出し、セットプレート７７は第二取付柱９３まわりに時計方向に回転する。
【０１０２】
これに伴い、セットプレート７７に連結されたクリックピース９５が第一取付柱１５まわりに反時計方向に回転する。なお、クリックピース９５は、ボール１２１により反時計方向の回転が規制されているが、キーＫによる反時計方向への回転力は、ボール１２１による規制力より大きい。よって、クリックピース９５は、反時計方向に回転し、係止部１０９がボール１２１を付勢力に対向して右側へ押し込む。これにより、ボール１２１は、係止部１０９の先端角部に当接し、クリックピース９５を反時計方向に付勢する。
【０１０３】
クリックピース９５が反時計方向に回転することで、スイッチ１２３のレバー１３１を押し込んでいた押込み部１０７も反時計方向に回転し、スイッチ１２３がＯＦＦ状態となる。これにより、防犯監視モードがＯＦＦにされる。なお、セットプレート７７が時計方向に回転することで、スライダー６３はスライダー溝７５に沿って右側へ移動する。
【０１０４】
そして、デッドハブ１７が反時計方向に回転することで、デッドボルト７が右側へ移動し、図１８の状態となり、解錠される。このように、キーＫを回転させることで、解錠と防犯監視モードＯＦＦの両方が行なわれる。
【０１０５】
解錠した図１８の状態から、キーＫを抜くため、キーＫを時計方向に９０度回転させて、デッドハブ１７に対してインナーを９０度空転させて、図５の状態にする。これにより、キーＫの板面は上下方向となり、シリンダー１５１からキーＫを抜くことが出来る。
【０１０６】
ところで、デッドハブ１７の先端側小径部２９の十字状の凹部３１には、室内側に配置されるサムターンのサムターン軸（不図示）が接続されている。
【０１０７】
そして、施錠され、防犯監視モードをＯＮにした図１５の状態において、たとえばサムターン回しなどの不正解錠により、すなわちサムターンにより解錠が行なわれた場合、図１５の状態からデッドハブ１７のみが反時計方向に回転し、図１９の状態となる。
つまり、図１５の状態では、デッドハブ１７の第一係止片２７の時計方向側にインナー３７の第二係止片４５が当接していることから、デッドハブ１７が反時計方向に回されてもインナー３７は回転しない。
【０１０８】
このように、解錠はされるが、防犯監視モードがＯＦＦにされることがないので、サムターン回しにより室内側から解錠して扉１をあけると防犯機能が働き、警備保障会社に通報したり、警報を鳴らすことができる。
よって、本実施例の扉錠によれば、サムターン回しなどの不正解錠による侵入も防止することが可能である。
【０１０９】
また、家族などが在宅している場合には、キーＫの押し込み操作をせず施錠だけをした状態で外出することが望ましい。
【０１１０】
本実施例では、従来と同じ大きさの錠ケース３内に作動機構および操作機構を配置することにより、扉１への取り付けが何ら制限されることがない。また、シリンダーやハンドルの座は、既存のものを使用することができ特別に製作する必要がない。すなわち、意匠の自由度を向上できる。さらに、スイッチのコードは、錠ケースから導出されていることで、シリンダーや座の施工性も向上できる。
【０１１１】
また、本実施例では、キーＫによる施錠操作の終了時にのみキーＫを先端側（室内側）へ押し込む操作が可能とされている。従って、解錠状態や解錠操作時には、キーＫを先端側へ押し込んで防犯監視モードをＯＮにすることはできず、誤操作を防止することができる。さらに、施錠する際のキーＫのシリンダーへの差込み操作や、キーＫの回転操作とは異なり、そのような施錠操作の終了時に先端側へさらにキーＫを押し込み操作することにより、防犯監視モードがＯＮにされる。つまり、本実施例では、施錠のためのキーＫのシリンダーへの差込み操作および回転操作後に、キーＫを押し込むため、防犯監視モードをＯＮにする必要がない場合に、意思に反して、施錠する際の一連のキーＫの差込み操作および回転操作により防犯監視モードをＯＮにしてしまうことがない。
【０１１２】
また、本実施例では、取付板１１に操作機構（１７，３７）、作動機構（３７，６３，７７，９５）およびスイッチ１２３が組み立てられてユニット化された状態で錠ケース３内に収容されており、組み立てが極めて容易とされる。
【０１１３】
本発明の扉錠は、上記実施例の構成に限らず、適宜変更可能である。
例えば、上記実施例では、クリックピースの反時計方向への回転を阻止するのに、ボールが使用されたが、前後方向を軸とするローラであっても構わない。
また、上記実施例では、開き戸形式の扉に設けられる場合について説明したが、本発明の扉錠は、引戸形式の扉にも設けることが可能であり、引戸鎌錠に適用可能である。
【図面の簡単な説明】
【０１１４】
【図１】本発明の扉錠の一実施例を示す図であり、扉への取付状態を室外側から見た斜視図である。
【図２】本発明の扉錠の一実施例の分解斜視図である。
【図３】図２の扉錠の正面図であり、一部を省略して示している。
【図４】図２の扉錠の主要部を示す分解斜視図である。
【図５】取付板に各部材が組み立てられた状態を示す正面図であり、断面にして示している。
【図６】デッドハブを示す部品図であり、（ａ）は正面図、（ｂ）は右側面視縦断面図、（ｃ）は背面図、（ｄ）は底面図である。
【図７】インナーを示す部品図であり、（ａ）は正面図、（ｂ）は左側面図、（ｃ）は右側面図、（ｄ）は背面図、（ｅ）は横断面図、（ｆ）は背面側から見た斜視図である。
【図８】スライダーを示す部品図であり、（ａ）は正面図、（ｂ）は左側面図、（ｃ）は平面図、（ｄ）は背面図、（ｅ）は斜視図である。
【図９】セットプレートを示す部品図であり、（ａ）は正面図、（ｂ）は左側面図、（ｃ）は平面図である。
【図１０】クリックピースを示す部品図であり、（ａ）は正面図、（ｂ）は左側面図、（ｃ）は平面図である。
【図１１】実施例の扉錠の施錠状態を示す図である。
【図１２】図１１の一部の断面図である。
【図１３】図１１の状態からキーを押し込んだ状態を示す図である。
【図１４】図１３の一部の断面図である。
【図１５】図１３の状態からキーを９０度回転させた状態を示す図である。
【図１６】図１５の状態から解錠している状態を示す図である。
【図１７】図１６の状態からさらにキーを回転させ、インナーの第二拡径部がセットプレートの突出片が接触している状態を示す図である。
【図１８】解錠した状態を示す図である。
【図１９】図１５の状態から不正解錠が行われた状態を示す図である。
【符号の説明】
【０１１５】
１  扉
３  錠ケース
７  デッドボルト
１１  取付板
１７  デッドハブ
１９  係止部
２７  第一係止部
３７  インナー
４５  第二係止部
５３  第二拡径部
５９  押部
６３  スライダー
７１  延出部
７７  セットプレート
８５  突出片
９５  クリックピース
１１９  バネ
１２１  ボール
１２３  スイッチ
１３１  レバー
１３３  コード
１３５  監視装置
１３７  カバー
１５１  シリンダー
１５７  差込部
Ｋ  キー
【図１】
0004820203.tif 000002
【図２】
0004820203.tif 000003
【図３】
0004820203.tif 000004
【図４】
0004820203.tif 000005
【図５】
0004820203.tif 000006
【図６】
0004820203.tif 000007
【図７】
0004820203.tif 000008
【図８】
0004820203.tif 000009
【図９】
0004820203.tif 000010
【図１０】
0004820203.tif 000011
【図１１】
0004820203.tif 000012
【図１２】
0004820203.tif 000013
【図１３】
0004820203.tif 000014
【図１４】
0004820203.tif 000015
【図１５】
0004820203.tif 000016
【図１６】
0004820203.tif 000017
【図１７】
0004820203.tif 000018
【図１８】
0004820203.tif 000019
【図１９】
0004820203.tif 000020